(57)【要約】【課題】流体を利用した固定具を用いて撮影を行うときの作業性の向上を図ることができる寝台装置及び画像診断装置を提供する。【解決手段】大気圧よりも高い高圧空気を貯蔵する容器４１２を備えた被検体Ｐが載置される天板４１と、天板４１を長手方向に移動可能に支持する寝台フレーム４３１と、容器４１２に高圧空気を供給する寝台フレーム４３１に配置されたポンプ４４と、被検体Ｐを内包する空気により押圧して固定する固定具４２とを備え、容器４１２内に貯蔵された高圧空気を固定具４２に送給して天板４１上に載置された被検体Ｐを固定する。【選択図】  図３
2011143019.tif 000002
【特許請求の範囲】
【請求項１】
大気圧よりも高い高圧気体を貯蔵可能に被検体が載置される天板と、
前記天板を長手方向に移動可能に支持するフレームと、
前記天板上に載置された前記被検体を内包する気体により押圧して固定する固定具へ送給するための前記高圧気体を前記天板に供給するポンプとを
備えたことを特徴とする寝台装置。
【請求項２】
前記天板は、前記ポンプから供給された前記高圧気体を貯蔵する容器及びこの容器が配置される中空を有することを特徴とする請求項１に記載の寝台装置。
【請求項３】
前記容器は、前記天板の長手方向における上面の一端部近傍に設けられた前記中空に通ずる第１の開口部と同じ位置に第１の開口部を有し、また前記天板の長手方向における他端部に設けられた前記中空に通ずる第２の開口部と同じ位置に第２の開口部を有し、
前記天板は、前記容器内に貯蔵された前記高圧気体を前記固定具へ送給するための前記天板及び前記容器の第１の開口部に配置された送給継手、及び前記ポンプから供給された前記高圧気体を前記容器内へ導くための前記天板及び前記容器の第２の開口部に配置された容器導入継手を有することを特徴とする請求項２に記載の寝台装置。
【請求項４】
前記容器導入継手は、前記ポンプから供給される前記高圧気体を前記容器内に流入させ、前記容器内に流入した前記高圧気体の流出を阻止する弁を有し、
前記送給継手は、前記固定具が前記天板から脱着されている場合に前記容器内に貯蔵された前記高圧気体の流出を阻止し、前記固定具が前記天板に取着されている場合に前記容器内に貯蔵された前記高圧気体を前記固定具に送給可能な状態にする弁を有することを特徴とする請求項３に記載の寝台装置。
【請求項５】
前記固定具は、前記被検体を内包する気体により押圧して固定するための膨張体、及び前記送給継手から送給される前記高圧気体を前記膨張体内へ導くための前記送給継手に係合する膨張体導入継手を有することを特徴とする請求項４に記載の寝台装置。
【請求項６】
前記フレームに、前記ポンプからの前記高圧気体を前記容器に供給するための前記容器導入継手に係合する供給継手が配置されていることを特徴とする請求項３乃至請求項５のいずれかに記載の寝台装置。
【請求項７】
前記容器は、前記天板のホームポジションにおいて前記供給継手と前記容器導入継手を介して前記ポンプ４４に連結され、前記天板がホームポジションから移動した位置において前記ポンプから切り離されていることを特徴とする請求項６に記載の寝台装置。
【請求項８】
前記天板は、前記ポンプから供給された前記高圧気体を貯蔵する容器を有し、
前記容器は、前記天板の下面に配置されていることを特徴とする請求項１に記載の寝台装置。
【請求項９】
前記天板は、前記ポンプから供給された前記高圧気体を貯蔵する容器を有し、
前記容器は、前記フレームに配置された前記天板を長手方向に移動する長手移動機構により支持される前記天板の端部に配置されていることを特徴とする請求項１に記載の寝台装置。
【請求項１０】
前記ポンプは、前記フレームに配置されていることを特徴とする請求項１乃至請求項９のいずれかに記載の寝台装置。
【請求項１１】
大気圧よりも低い低圧気体を貯蔵可能に被検体が載置される天板と、
前記天板を長手方向に移動可能に支持するフレームと、
内包する気体の吸引により前記天板上に載置された前記被検体の体形に応じた型を形成して固定する固定具から気体を吸引させる前記低圧気体を貯蔵するために、前記天板から気体を吸引するポンプとを
備えたことを特徴とする寝台装置。
【請求項１２】
請求項１又は請求項１１に記載の寝台装置を用いて、前記被検体を撮影装置方向に移動することを特徴とする画像診断装置。
【発明の詳細な説明】
【技術分野】
【０００１】
本発明は、画像診断に用いられる寝台装置及び画像診断装置に関する。
【背景技術】
【０００２】
Ｘ線ＣＴ装置及びＭＲＩ装置等の画像診断装置は、被検体の撮影により生成される画像データを提供するものであり、画像診断や治療等の医療行為に重要な役割を果たしている。この画像診断装置は、開口部を有する架台を備え、その開口部内へ被検体を送り込んで撮影を行う。
【０００３】
ところで、架台近傍には、開口部内へ被検体を送り込むための寝台装置が配置される。この寝台装置は、被検体が載置される天板を有し、この天板を移動して被検体を開口部内へ送り込む。しかしながら、天板上に載置された被検体の撮影部位が体動するとアーチファクトが生じて鮮明な画像を得ることができない問題がある。
【０００４】
この問題を解決するために、液体を供給する供給部と、この液体供給部からの供給により膨張する膨張体とを有し、膨張体が被検体を押圧することにより、天板上に載置された被検体の撮影部位を固定する固定具が知られている（例えば、特許文献１参照。）。
【０００５】
また、多数の小さな球体及び空気が詰められたマットと、このマット内の空気を吸引する吸引部とを有し、下に敷かれたマットが被検体の体形に合わせて変形することにより、天板上に載置された被検体を固定する固定具がある。
【先行技術文献】
【特許文献】
【０００６】
【特許文献１】特開２００８−２５３６７８号公報
【発明の概要】
【発明が解決しようとする課題】
【０００７】
しかしながら、液体や空気の流体を利用した固定具を用いて被検体を固定する場合、撮影時に供給部や吸引部に設けたポンプの金属部品によるアーチファクト等の悪影響を避けるため、ポンプを架台から離して長いチューブで配管することになる。これにより、天板の移動中にそのチューブの架台や被検体等への干渉を避けるために細心の注意を払う必要が生じ、作業性の低下を招く恐れがある。
【０００８】
本発明は、上記問題点を解決するためになされたもので、流体を利用した固定具を用いて撮影を行うときの作業性の向上を図ることができる寝台装置及び画像診断装置を提供することを目的とする。
【課題を解決するための手段】
【０００９】
上記問題を解決するために、請求項１に係る本発明の寝台装置は、大気圧よりも高い高圧気体を貯蔵可能に被検体が載置される天板と、前記天板を長手方向に移動可能に支持するフレームと、前記天板上に載置された前記被検体を内包する気体により押圧して固定する固定具へ送給するための前記高圧気体を前記天板に供給するポンプとを備えたことを特徴とする。
【００１０】
また、請求項１１に係る本発明の寝台装置は、大気圧よりも低い低圧気体を貯蔵可能に被検体が載置される天板と、前記天板を長手方向に移動可能に支持するフレームと、内包する気体の吸引により前記天板上に載置された前記被検体の体形に応じた型を形成して固定する固定具から気体を吸引させる前記低圧気体を貯蔵するために、前記天板から気体を吸引するポンプとを備えたことを特徴とする。
【００１１】
更に、請求項１２に係る本発明の画像診断装置は、請求項１又は請求項１１に記載の寝台装置を用いて、前記被検体を撮影装置方向に移動することを特徴とする。
【発明の効果】
【００１２】
本発明によれば、気体を利用して被検体を固定するための気体を天板に貯蔵し、この天板に貯蔵した気体により、天板に取着された固定具を用いて被検体を固定することにより、チューブが干渉するのを避けるための注意を払うことなく、天板を移動させることができる。これにより、撮影を行うときの作業性の向上を図ることができる。
【図面の簡単な説明】
【００１３】
【図１】本発明の実施例１に係るＸ線ＣＴ装置の構成を示すブロック図。
【図２】本発明の実施例１に係る寝台部の構成を示す側面図。
【図３】本発明の実施例１に係る天板及び寝台の構成の一例を示す断面図。
【図４】本発明の実施例１に係る容器導入継手及び送給継手の構成の一例を示す断面図。
【図５】本発明の実施例１に係る固定具の構成の一例を示す断面図。
【図６】本発明の実施例１に係るＸ線ＣＴ装置における寝台部の動作を示すフローチャート。
【図７】本発明の実施例２に係るＸ線ＣＴ装置の構成を示すブロック図。
【図８】本発明の実施例２に係る寝台部の構成を示す側面図。
【図９】本発明の実施例２に係る天板及び寝台の構成の一例を示す断面図。
【図１０】本発明の実施例２に係る容器導入継手及び送給継手の構成の一例を示す断面図。
【図１１】本発明の実施例２に係る固定具の構成の一例を示す断面図。
【発明を実施するための形態】
【００１４】
本発明は、画像診断に用いられるＸ線ＣＴ装置及びＭＲＩ装置等の画像診断装置、並びに寝台装置に適用可能であるが、以下に説明する実施例では、Ｘ線ＣＴ装置の例を説明する。
【実施例１】
【００１５】
以下、本発明によるＸ線ＣＴ装置の実施例１を、図１乃至図６を参照して説明する。
【００１６】
図１は、本発明の実施例１に係るＸ線ＣＴ装置の構成を示したブロック図である。このＸ線ＣＴ装置１００は、被検体Ｐの撮影を行う撮影部１０と、被検体Ｐを撮影部１０方向へ移動する寝台部４０と、撮影部１０及び寝台部４０を操作する入力を行う操作部５０と、操作部５０からの入力情報に基づいて撮影部１０及び寝台部４０を制御するシステム制御部５１とを備えている。
【００１７】
撮影部１０は、被検体Ｐの撮影により投影データを生成する架台部１１と、架台部１１で生成された投影データを処理して画像データを生成する画像処理部３０とを備えている。
【００１８】
架台部１１は、寝台部４０により被検体Ｐが送り込まれる円筒状の開口部１２と、この開口部１２内に送り込まれた被検体Ｐの周囲を、アイソセンタ１２ａを中心として回転する回転部１３と、この回転部１３を回転可能に支持する固定部１４とを備えている。
【００１９】
回転部１３は開口部１２の外周に配置され、Ｘ線を照射するＸ線照射部１６と、Ｘ線照射部１６に高電圧を供給する高電圧発生部１７と、Ｘ線を検出するＸ線検出部１８と、Ｘ線検出部１８で検出された検出信号を収集して投影データを生成するデータ収集部１９と、データ収集部１９で生成された投影データを画像処理部３０に出力するためのデータ伝送部２０の送信部と、Ｘ線照射部１６、高電圧発生部１７、Ｘ線検出部１８、データ収集部１９、及びデータ伝送部２０の送信部を回転可能に支持する回転フレーム２１とを備えている。
【００２０】
Ｘ線照射部１６はＸ線管を有し、高電圧発生部１７から供給される高電圧によりＸ線を発生して、開口部１２内に送り込まれた被検体Ｐに対して回転しながらＸ線を照射する。また、Ｘ線検出部１８はＸ線検出素子を有し、Ｘ線照射部１６に対向して配置される。そして、Ｘ線照射部１６からのＸ線照射により被検体Ｐを透過したＸ線を検出して電気信号に変換し、変換した信号を増幅してデータ収集部１９に出力する。
【００２１】
データ収集部１９は、アナログ／デジタル変換回路（ＡＤＣ）等を備え、Ｘ線検出部１８からのアナログ信号をデジタル信号に変換した後、回転フレーム２１の所定の回転角度毎に収集して１ビューの投影データを生成する。
【００２２】
データ伝送部２０は、例えば光を利用して送受信するための送信部及び受信部を備えている。そして、送信部が回転部１３に設けられ、データ収集部１９からの投影データを固定部１４に設けた受信部に伝送する。
【００２３】
固定部１４は、回転部１３の回転フレーム２１を回転する回転機構制御部２２及びデータ伝送部２０の受信部を備えている。そして、回転機構制御部２２は、回転フレーム２１を回転する回転機構及びこの回転機構を制御する制御回路を備えている。また、データ伝送部２０の受信部は、送信部からの投影データを画像処理部３０に出力する。
【００２４】
画像処理部３０は、架台部１１における回転部１３のデータ伝送部２０から出力された投影データを保存する記憶部３１と、記憶部３１に保存された複数ビューの投影データを再構成して画像データを生成する再構成部３２と、再構成部３２で生成された画像データを表示する表示部３３とを備えている。
【００２５】
寝台部４０は、架台部１１近傍に配置され、大気圧よりも高い高圧気体である例えば高圧空気の貯蔵が可能な被検体Ｐが載置される天板４１と、天板４１上に載置された被検体Ｐの例えば頭部を内包する例えば空気により押圧して固定する固定具４２とを備えている。また、天板４１を上下方向及び長手方向に移動可能に支持する寝台４３と、固定具４２へ送給するための高圧空気を天板４１に供給するポンプ４４と、天板４１及びポンプ４４を作動させる入力操作を行う操作パネル４５と、寝台４３及びポンプ４４を駆動制御する寝台制御部４６とを備えている。
【００２６】
図２は、寝台部４０の側面図である。天板４１は、被検体Ｐの乗降が容易な高さであり、且つ架台１１から最も離れた位置をホームポジションとし、寝台４３により撮影部１０における架台部１１の位置決め位置や、開口部１２内の撮影位置へ移動される。
【００２７】
固定具４２は、天板４１上の一端部に着脱可能に設けられる。そして、位置決め位置に移動した天板４１から送給される高圧空気より、天板４１上で位置決めされた被検体Ｐが体動しないように押圧して固定する。
【００２８】
寝台４３は、天板４１を長手方向に移動可能に支持する寝台フレーム４３１、天板４１を上下方向に移動するために寝台フレーム４３１を移動する上下移動機構、及び天板４１を長手方向に移動する寝台フレーム４３１に配置された長手移動機構を備えている。そして、長手移動機構は、天板４１の他端部を移動可能に支持している。
【００２９】
図１に示した寝台制御部４６は、操作部５０や操作パネル４５からの天板移動の入力操作に基づいて、寝台４３の長手移動機構や上下移動機構を駆動制御する。また、操作部５０や操作パネル４５からのポンプ駆動の入力操作に基づいて、ポンプ４４を駆動制御する。
【００３０】
操作部５０は、キーボード、トラックボール、ジョイスティック、マウスなどの入力デバイスや表示パネル、更には各種スイッチなどを備えたインターラクティブなインターフェースであり、寝台部４０の天板４１を移動させる天板移動の入力操作、寝台部４０のポンプ４４を駆動させるポンプ駆動の入力操作、被検体Ｐの撮影に関る様々な入力操作等を行う。
【００３１】
システム制御部５１は、ＣＰＵと記憶回路を備え、操作部５０からの入力操作により供給される入力情報を一旦記憶した後、これらの入力情報に基づいて、撮影部１０の架台部１１における回転部１３の回転フレーム２１の回転、投影データの生成、画像データの生成、及び表示や、寝台部４０における天板４１の移動やポンプ４４の駆動に関する制御などシステム全体の制御を行う。
【００３２】
次に、図１乃至図５を参照して、寝台部４０における天板４１、固定具４２、及び寝台４３の構成の詳細を説明する。
【００３３】
図３は、天板４１及び寝台４３の構成の一例を示した断面図である。この天板４１は、被検体Ｐが載置される中空４１１ａを有する天板本体４１１と、この天板本体４１１の中空４１１ａに配置されたポンプ４４から供給された高圧空気を貯蔵する容器４１２と、ポンプ４４から供給された高圧空気を容器４１２内へ導くための容器導入継手４１３と、容器４１２内に貯蔵された高圧空気を固定具４２に送給するための送給継手４１４とにより構成される。なお、中空４１１ａに高圧空気を貯蔵するように実施してもよい。
【００３４】
天板本体４１１は、高強度及び高Ｘ線透過性を有する例えばカーボンコンポジット材から成り、長手方向においては、被検体Ｐの全身撮影を行うために架台部１１の方向へ最大長延ばした位置で他端部を寝台４３の長手移動機構により支持可能な長さに形成されている。また、長手方向における上面の一端部近傍に設けられた中空４１１ａに通ずる第１の開口部を有し、また長手方向における他端面に設けられた中空４１１ａに通ずる第２の開口部を有する。
【００３５】
容器４１２は、Ｘ線透過性に優れたプラスチック材から成り、天板本体４１１の中空４１１ａを形成している面に内接して配置される。そして、天板本体４１１の第１の開口部と同じ位置に第１の開口部を有し、また天板本体４１１の第２の開口部と同じ位置に第２の開口部を有する。
【００３６】
容器導入継手４１３は、Ｘ線透過性に優れたプラスチック材から成り、天板本体４１１及び容器４１２の第２の開口部に配置される。そして、図４（ａ）に示すように、継手本体４１３１と、天板本体４１１の長手方向に沿って継手本体４１３１に形成されたポンプ４４からの高圧空気が通る貫通孔４１３２と、この貫通孔４１３２を開閉する球体４１３３及びこの球体４１３３を長手方向の他端部方向に押し付けるばね４１３４からなる弁４１３５とにより構成される。そして、ポンプ４４から供給される高圧空気を容器４１２内に流入させ、容器４１２内に流入した高圧空気の流出を阻止する。
【００３７】
送給継手４１４は、Ｘ線透過性に優れたプラスチック材から成り、天板本体４１１及び容器４１２の第１の開口部に配置される。そして、図４（ｂ）に示すように、継手本体４１４１と、継手本体４１４１の上下方向に沿って形成された容器４１２内に貯蔵された高圧空気が通る貫通孔４１４２と、この貫通孔４１４２を開閉する球体４１４３及びこの球体４１４３を上方に押し付けるばね４１４４からなる弁４１４５とにより構成される。
【００３８】
そして、固定具４２が天板４１から脱着されている場合、弁４１４５が貫通孔４１４２を閉塞し、容器４１２内に貯蔵された高圧空気の流出を阻止している。また、固定具４２が天板４１上に取着されている場合、貫通孔４１４２に挿入された固定具４２の一部が弁４１４５を押し下げて貫通孔４１４２を開放し、容器４１２内に貯蔵された高圧空気を固定具４２に送給可能な状態にしている。
【００３９】
寝台４３は、ポンプ４４から供給される高圧空気を天板４１の容器４１２へ供給するための容器導入継手４１３と係合する寝台フレーム４３１に配置された供給継手４３２を有する。
【００４０】
ここで、天板４１の容器４１２は、天板４１のホームポジションにおいて、係合している供給継手４３２と容器導入継手４１３を介してポンプ４４に連結されている。そして、ポンプ４４が作動している場合、ポンプ４４から供給される高圧空気により容器導入継手４１３の弁４１３５が天板本体４１１の一端部方向に移動して貫通孔４１３２を開放している。これにより、ポンプ４４から供給される高圧空気が容器４１２内に流入する。また、ポンプ４４が停止している場合、弁４１３５が貫通孔４１３２を閉塞している。これにより、容器４１２内に流入した高圧空気の貫通孔４１３２からの流出が阻止される。
【００４１】
また、容器４１２は、天板４１がホームポジションから一端部方向に移動した位置において、容器導入継手４１３が供給継手４３２から離間しているため、ポンプ４４から切り離されている。このとき、弁４１３５が貫通孔４１３２を閉塞している。これにより、容器４１２内に貯蔵された高圧空気の貫通孔４１３２からの流出が阻止される。
【００４２】
なお、容器４１２を天板本体４１１の下面に配置して実施するようにしてもよい。この場合、天板本体４１１に設けた第１の開口部を下方に貫通する貫通孔を形成し、その貫通孔及び容器４１２の第１の開口部に送給継手４１４を下方に延長して配置すると共に、天板本体４１１の下面に配置した容器４１２の第２の開口部に容器導入継手４１３を配置し、配置した容器導入継手４１３に一致する高さに供給継手４３２を配置するようにする。
【００４３】
また、架台部１１で撮影の範囲外となる寝台４３の長手移動機構に支持された天板本体４１１他端部に、容器４１２とは異なる形状の容器を配置するように実施してもよい。この場合、撮影の範囲外となるためステンレス材等の金属性でもよい。そして、天板本体４１１他端部に配置する容器と送給継手４１４間を配管するチューブを中空４１１ａに配置する。また、その容器とポンプ４４を連結するための容器側の継手の高さに合わせて容器側の継手に係合するポンプ４４側の継手を配置する。
【００４４】
図５は、固定具４２の構成の一例を示した断面図である。この固定具４２は、Ｘ線透過性に優れたプラスチック材から成り、天板４１上に載置された被検体Ｐの頭部を内包する空気により押圧して固定するための柔軟性を有する膨張体４２１と、天板４１の送給継手４１４から送給される高圧空気を膨張体４２１内へ導くための送給継手４１４に係合する膨張体導入継手４２２とにより構成される。また、膨張体４２１と膨張体導入継手４２２間に設けた流路を開閉するバルブ４２３と、膨張体４２１と大気間に設けた流路を開閉するバルブ４２４と、膨張体４２１を支持する支持体４２５とにより構成される。
【００４５】
そして、送給継手４１４の貫通孔４１４２に、膨張体導入継手４２２を挿入して固定具４２を天板４１上に取着することにより、挿入された膨張体導入継手４２２が、送給継手４１４の弁４１４５を押し下げて、貫通孔４１４２を開放する。これにより、天板４１の容器４１２内に貯蔵された高圧空気が膨張体導入継手４２２に送給される。
【００４６】
次いで、バルブ４２３を操作して膨張体４２１と膨張体導入継手４２２間の流路を開放することにより、容器４１２から送給された高圧空気が流入して膨張体４２１が内周方向に向かって膨張する。これにより被検体Ｐの頭部が押圧されて固定される。
【００４７】
このように、固定具４２を天板４１に取着することにより、膨張体導入継手４２２と送給継手４１４を介して膨張体４２１を容器４１２に連結することができる。
【００４８】
以下、図１乃至図６を参照して、Ｘ線ＣＴ装置１００における寝台部４０の動作の一例を説明する。
【００４９】
図６は、Ｘ線ＣＴ装置１００における寝台部４０の動作を示したフローチャートである。Ｘ線ＣＴ装置１００の操作者により、寝台部４０の天板４１をホームポジションに設定するホームポジション操作が例えば操作部５０から行われると、Ｘ線ＣＴ装置１００は動作を開始する（ステップＳ１）。
【００５０】
システム制御部５１は、寝台部４０における寝台制御部４６に寝台４３及びポンプ４４の制御を指示する。寝台４３は、寝台制御部４６からの制御により、天板４１をホームポジションへ移動する（ステップＳ２）。
【００５１】
ホームポジションに停止した天板４１上に、膨張体４２１と膨張体導入継手４２２間の流路及び膨張体４２１と大気間の流路が閉塞された固定具４２が取着される。
【００５２】
このように、固定具４２にはポンプ４４に接続されるチューブがないので、チューブの配置に注意を払うことなく、簡単な作業で固定具４２を天板４１に取着することができる。そして、固定具４２を天板４１に取着することにより、膨張体導入継手４２２と送給継手４１４を介して膨張体４２１を容器４１２に連結することができる。
【００５３】
固定具４２が取着された後、例えば操作部５０から高圧空気を貯蔵する操作が行われると、ポンプ４４は、寝台４３の供給継手４３２及び天板４１の容器導入継手４１３を介して、所定の圧力に達するまで天板４１の容器４１２内に高圧空気を供給する（ステップＳ３）。
【００５４】
このように、天板４１がホームポジションに停止しているときに容器４１２内に高圧空気を供給して貯蔵することができる。
【００５５】
容器４１２内に所定の圧力に達した高圧空気が貯蔵され、更に天板４１上に被検体Ｐが載置された後、操作部５０から天板４１を位置決め位置へ移動させる操作が行われると、寝台４３は、ホームポジションから架台部１１の位置決め位置へ天板４１を移動する（ステップＳ４）。
【００５６】
このように、固定具４２の天板４１への取着により膨張体４２１と容器４１２が連結されているので、架台１１や被検体Ｐ等へチューブが干渉するのを避けるための注意を払うことなく、天板４１を移動させることができる。
【００５７】
天板４１が位置決め位置で停止した後、操作者がバルブ４２３を操作して膨張体４２１と膨張体導入継手４２２間の流路を開放することにより、容器４１２内の高圧空気が膨張体４２１内に送給される。この送給により、高圧空気が流入して膨張体４２１が内周方向に向かって膨張し、被検体Ｐの頭部が押圧されて固定される。そして、固定された後、バルブ４２３を操作して膨張体４２１と膨張体導入継手４２２間の流路を閉じる。
【００５８】
このように、天板４１がホームポジションから移動した位置において、天板４１内に配置された容器４１２から天板４１に取着された固定具４２の膨張体４２１に高圧空気を送給することができる。
【００５９】
被検体Ｐが固定された後、操作部５０から被検体Ｐを撮影位置へ移動させる操作が行われると、寝台４３は、天板４１を移動して、被検体Ｐを架台部１１の開口部１２内へ送り込む（ステップＳ５）。
【００６０】
次いで、撮影開始の操作が行われると、架台部１１におけるＸ線照射部１６は被検体ＰにＸ線を照射する。Ｘ線検出部１８は、被検体Ｐを透過したＸ線を検出する。データ収集部１９は、Ｘ線検出部１８の検出信号から投影データを生成する。画像処理部３０は、データ収集部１９で生成された複数の投影データから画像データを生成して表示する。
【００６１】
被検体Ｐの撮影終了後、操作部５０からホームポジション操作が行われると、寝台４３は、ホームポジションへ天板４１を移動する（ステップＳ６）。
【００６２】
そして、システム制御部５１が寝台制御部４６に動作の停止を指示することにより、Ｘ線ＣＴ装置１００は、動作を終了する（ステップＳ７）。
【００６３】
天板４１がホームポジションで停止した後、操作者がバルブ４２４を操作して膨張体４２１と大気間の流路を開放することにより、膨張体４２１内の空気が大気中に放出される。この放出により、膨張体４２１に押圧されていた被検体Ｐの頭部が開放される。
【００６４】
以上述べた本発明の実施例１によれば、天板４１に高圧空気を貯蔵する容器４１２を設け、天板４１のホームポジションにおいて、供給継手４３２と容器導入継手４１３を介して容器４１２をポンプ４４に連結することができる。これにより、容器４１２内に高圧空気を供給して貯蔵することができる。
【００６５】
また、固定具４２を天板４１に取着することにより、膨張体導入継手４２２と送給継手４１４を介して膨張体４２１を容器４１２に連結することができる。そして、天板４１がホームポジションから移動した位置において、容器４１２内に貯蔵した高圧空気を膨張体４２１に送給することにより、天板４１上に載置された被検体Ｐを固定することができる。
【００６６】
これにより、架台１１や被検体Ｐ等へチューブが干渉するのを避けるための注意を払うことなく、天板４１を移動させることが可能となり、撮影に関る手間や作業時間を低減することができる。また、撮影を行うときの作業性の向上を図ることができる。
【実施例２】
【００６７】
以下、本発明によるＸ線ＣＴ装置の実施例２を、図７乃至図１１を参照して説明する。
【００６８】
図７は、実施例２に係るＸ線ＣＴ装置の構成を示したブロック図である。図７に示した実施例２が実施例１と異なる点は、寝台部４０を寝台部４０ａに置き換えた点である。なお、実施例２を構成しているユニットの内、実施例１と同じ機能を有するユニット及び同じ構成のユニットには同じ符号を付与し説明を省略又は簡略する。
【００６９】
寝台部４０ａは、大気圧よりも低い低圧空気の貯蔵が可能な被検体Ｐが載置される天板４１ａと、内包する空気の吸引により天板４１ａ上に載置された被検体Ｐの体形に応じた型を形成して固定する固定具４２ａと、天板４１ａを上下方向及び長手方向に移動可能に支持する寝台４３と、固定具４２ａから空気を吸引させる低圧空気を貯蔵するために天板４１ａから空気を吸引するポンプ４４ａと、天板４１ａ及びポンプ４４ａを作動させる入力操作を行う操作パネル４５と、寝台４３及びポンプ４４ａを駆動制御する寝台制御部４６ａとを備えている。
【００７０】
図８は、寝台部４０ａの側面図である。天板４１ａは、被検体Ｐの乗降が容易な高さであり、且つ架台１１から最も離れた位置をホームポジションとし、寝台４３により撮影部１０における架台部１１の位置決め位置や、開口部１２内の撮影位置へ移動される。
【００７１】
固定具４２ａは、着脱可能に天板４１ａ上に設けられる。そして、天板４１ａに貯蔵された低圧空気からの吸引より、天板４１ａ上に載置された被検体Ｐの下に敷かれる固定具４２ａが被検体Ｐの体形に応じた型を形成する。これにより、被検体Ｐが固定される。
【００７２】
図７に示した寝台制御部４６ａは、操作部５０や操作パネル４５からの天板移動の入力操作に基づいて、寝台４３の長手移動機構や上下移動機構を駆動制御する。また、操作部５０や操作パネル４５からのポンプ駆動の入力操作に基づいて、ポンプ４４ａを駆動制御する。
【００７３】
次に、図８乃至図１１を参照して、寝台部４０ａにおける天板４１ａ及び固定具４２ａの構成の詳細を説明する。
【００７４】
図９は、天板４１ａの構成の一例を示した断面図である。この天板４１ａは、被検体Ｐが載置される中空４１１ａを有する天板本体４１１と、この天板本体４１１の中空４１１ａに配置された低圧空気を貯蔵する容器４１２と、容器４１２内の空気をポンプ４４ａに導くための容器導入継手４１３ａと、容器４１２内に貯蔵された低圧空気により固定具４２ａの空気を吸引するための送給継手４１４とにより構成される。
【００７５】
容器導入継手４１３ａは、Ｘ線透過性に優れたプラスチック材から成り、天板本体４１１及び容器４１２の第２の開口部に配置される。そして、図１０（ａ）に示すように、継手本体４１３１ａと、天板本体４１１の長手方向に沿って継手本体４１３１ａに形成された空気が通る貫通孔４１３２ａと、この貫通孔４１３２ａを開閉する球体４１３３及びこの球体４１３３を長手方向の一端部方向に押し付けるばね４１３４ａからなる弁４１３５ａとにより構成される。そして、ポンプ４４ａの空気を吸引する吸引動作により容器４１２内の空気を流出させ、容器４１２内への大気圧の空気の流入を阻止する。これにより、容器４１２内に低圧空気が貯蔵される。
【００７６】
送給継手４１４は、固定具４２ａが天板４１ａから脱着されている場合、弁４１４５が貫通孔４１４２を閉塞し、容器４１２内への大気圧の空気の流入を阻止している。また、固定具４２ａが天板４１ａ上に取着されている場合、貫通孔４１４２に挿入された固定具４２ａの一部が弁４１４５を押し下げて貫通孔４１４２を開放し、容器４１２内に貯蔵された低圧空気により固定具４２ａ内の空気の吸引を可能な状態にしている。
【００７７】
寝台４３は、ポンプ４４ａの吸引動作により天板４１ａの容器４１２内の空気を吸引するための容器導入継手４１３ａと係合する寝台フレーム４３１に配置された供給継手４３２を有する。
【００７８】
ここで、天板４１ａの容器４１２は、天板４１ａのホームポジションにおいて、係合している供給継手４３２と容器導入継手４１３ａを介してポンプ４４ａに連結されている。そして、ポンプ４４ａが作動している場合、容器導入継手４１３ａの弁４１３５ａが天板本体４１１の他端部方向に移動して貫通孔４１３２ａを開放している。これにより、容器４１２内の空気が吸引され、低圧空気が貯蔵されることになる。また、ポンプ４４ａが停止している場合、弁４１３５ａが貫通孔４１３２ａを閉塞している。これにより、低圧空気が貯蔵された容器４１２内への大気圧の空気の流入が阻止される。
【００７９】
また、容器４１２は、天板４１ａがホームポジションから一端部方向に移動した位置において、容器導入継手４１３ａが供給継手４３２から離間しているため、ポンプ４４ａから切り離されている。このとき、弁４１３５ａが貫通孔４１３２ａを閉塞している。これにより、容器４１２内への大気圧の空気の流入が阻止される。
【００８０】
図１１は、固定具４２ａの構成の一例を示した断面図である。この固定具４２ａは、Ｘ線透過性に優れたプラスチック材から成り、多数の微小の球体４２１ａ、この球体４２１ａ及び空気を被包する柔軟性を有するカバー４２２ａ、このカバー４２２ａ内の空気を天板４１ａの送給継手４１４に導くための送給継手４１４に係合するカバー吸引継手４２３ａ、及びカバー４２２ａ内とカバー吸引継手４２３ａ間に設けた流路を開閉するバルブ４２４ａにより構成される。
【００８１】
そして、送給継手４１４の貫通孔４１４２に、カバー吸引継手４２３ａを挿入して固定具４２ａを天板４１ａ上に取着することにより、挿入されたカバー吸引継手４２３ａが、送給継手４１４の弁４１４５を押し下げて、貫通孔４１４２を開放する。これにより、容器４１２内に貯蔵された低圧空気によりカバー４２２ａ内の空気の吸引が可能な状態になる。
【００８２】
ここで、固定具４２ａの取着により、天板４１ａ上に敷かれた空気を内包するカバー４２２ａ上に被検体Ｐが載置される。次いで、バルブ４２４ａを操作してカバー４２２ａ内とカバー吸引継手４２３ａ間の流路を開放すると、容器４１２内に貯蔵された低圧空気によりカバー４２２ａ内の空気が吸引される。この吸引により、カバー４２２ａに封入された球体４２１ａが被検体Ｐの体形に合わせて再配置され、被検体Ｐの体形に応じた型を形成する。これにより、被検体Ｐを天板４１ａ上に固定する。
【００８３】
以上述べた本発明の実施例２によれば、天板４１ａに低圧空気を貯蔵する容器４１２を設け、天板４１ａのホームポジションにおいて、供給継手４３２と容器導入継手４１３ａを介して容器４１２をポンプ４４ａに連結することができる。これにより、容器４１２内の空気を吸引して低圧空気を貯蔵することができる。
【００８４】
また、固定具４２ａを天板４１ａに取着することにより、カバー吸引継手４２３ａと送給継手４１４を介してカバー４２２ａを容器４１２に連結することができる。そして、容器４１２内に貯蔵した低圧空気によりカバー４２２ａ内の空気を吸引させることにより、天板４１ａ上に載置された被検体Ｐを固定することができる。
【００８５】
これにより、架台１１や被検体Ｐ等へチューブが干渉するのを避けるための注意を払うことなく、天板４１ａを移動させることが可能となり、撮影に関る手間や作業時間を低減することができる。また、撮影を行うときの作業性の向上を図ることができる。
【符号の説明】
【００８６】
４１，４１ａ  天板
４３  寝台
４４，４４ａ  ポンプ
４１１  天板本体
４１１ａ  中空
４１２  容器
４１３，４１３ａ  容器導入継手
４１４  送給継手
４３１  寝台フレーム
４３２  供給継手
【図１】
2011143019.tif 000003
【図２】
2011143019.tif 000004
【図３】
2011143019.tif 000005
【図４】
2011143019.tif 000006
【図５】
2011143019.tif 000007
【図６】
2011143019.tif 000008
【図７】
2011143019.tif 000009
【図８】
2011143019.tif 000010
【図９】
2011143019.tif 000011
【図１０】
2011143019.tif 000012
【図１１】
2011143019.tif 000013